(57)【特許請求の範囲】
【請求項１】
各々が一回投与分の調合薬を収容した複数個の容器を備えた、可撓性のストリップから粉末状の前記調合薬を送出する吸入器であって、
開放位置と閉鎖位置との間でピボット回転可能なカバーを備えたマウスピースを有し、
前記ストリップを段階的に前進させる運搬装置であって、２つのデフレクタを備え、前記ストリップは前記デフレクタ相互間に延び、前記ストリップは前記吸入器の３６０°未満の円周方向角度（α）にわたって延び、前記運搬装置は前記ストリップを段階的に前進させるための前記カバーのピボット回転によって作動する、運搬装置を有し、
前記容器を個々に開放して前記調合薬の投与分を取り出す取出し装置を有し、前記取出し装置は、穿通要素と、前記ストリップが前記運搬装置によって前進させられた後、前記容器を個々に開放するために、開放される容器又は前記ストリップを前記穿通要素に対してそりのように動く案内要素とを有し、
前記カバーの開放位置へのピボット回転に応じて、前記ストリップの容器を開放するために、前記穿通要素に向かって、前記ストリップ又は個別の容器と共に前記案内要素が動くよう、前記カバー及び前記案内要素は協働し、前記カバーの閉鎖位置へのピボット回転に応じて、前記穿通要素から離れるように、前記ストリップ又は個別の容器と共に前記案内要素が動くよう、前記カバー及び前記案内要素は協働する、吸入器。
【請求項２】
前記取出し装置は、周囲空気と一緒に各々の投与分をエーロゾル雲として送出するために、前記容器を外部から次々に個々に開放することができるように構成されている、請求項１記載の吸入器。
【請求項３】
前記ストリップは、少なくとも実質的に外側弧及び内側弧に沿って前記２つのデフレクタ相互間で案内される、請求項２記載の吸入器。
【請求項４】
前記デフレクタは、各々前記ストリップを少なくとも１６０°そらす、請求項２記載の吸入器。
【請求項５】
前記２つのデフレクタ相互間の前記ストリップの前記部分は、互いに少なくとも実質的に一定の間隔を置いて案内される、請求項２記載の吸入器。
【請求項６】
前記運搬装置は、
前記ストリップを、少なくとも段階的に前進させる若しくは案内する、複数個のホイールを有する運搬装置を有し、
前記ホイールは、同一の直径を有し、共通のアール上に配置され、共通の駆動手段、及び同一の回転方向を有する、請求項１記載の吸入器。
【請求項７】
前記ホイールの直径は、本質的に、前記容器の前記間隔に一致している、請求項６記載の吸入器。
【請求項８】
前記運搬装置は、前記ストリップを前進させる遊星歯車装置を有し、前記運搬装置は、フリーホイールクラッチを有する、請求項１記載の吸入器。
【請求項９】
前記フリーホイールクラッチは、駆動ホイール内に配置されている、請求項８記載の吸入器。
【請求項１０】
前記運搬装置は、前記ストリップに作用するホイールを２つ又は４つ有し、前記ストリップに作用する前記ホイールは全て、駆動される、請求項８記載の吸入器。
【請求項１１】
前記運搬装置は、逆止め機構体を有し、前記逆止め機構体は、対応の容器を次の送出のための規定された位置に位置決めすることができるようにするために前記ストリップの後退運動を防止する移動量リミッタを形成している、請求項１記載の吸入器。
【請求項１２】
前記運搬装置は、前記ストリップを移動させる唯一の駆動装置を形成している、請求項１記載の吸入器。
【請求項１３】
一方の側部が平べったくされ又は凹んだ実質的に丸形のハウジングを有する、請求項１記載の吸入器。
【請求項１４】
前記平べったくされた又は凹んだ側部は、前記ハウジングの一部分及び前記吸入器が閉鎖されたときに前記ハウジングの一部分に隣接して位置する前記吸入器のカバーの一部分によって形成されている、請求項１３記載の吸入器。
【発明の詳細な説明】
【技術分野】
【０００１】
本発明は、吸入器に関する。
【０００２】
本発明は、特に吸入又は他の医学的若しくは治療目的のための調合薬の送出及び噴霧化に関する。特に好ましくは、本発明は、少なくとも１種類の有効物質を含み又はこれから成る薬剤、医薬品及び（又は）治療用調合薬に関する。噴霧化中、特に吸入のために好ましくは１〜１０μｍの非常に細かい固体粒子及び（又は）液体粒子を含むエーロゾル又は雲若しくは煙状の噴霧薬（以下「エーロゾル雲」又は「スプレーミスト」という場合がある）が生じる。
【背景技術】
【０００３】
調合薬は、好ましくは、粉末である。したがって、本発明は、特に好ましくは粉末吸入器に関する。本発明との関連における「調合薬」という用語は、液体を更に含むが、「液体」という用語は、広い意味に理解されるべきであり、例えば、液体としては、とりわけ、溶液、懸濁液、サスリューション（溶液と懸濁液の混合物）、分散剤、これらの混合物等が挙げられる。
【０００４】
本発明は、ブリスタストリップ又は他の好ましくは円板状若しくはバンド形のキャリヤから好ましくは粉末状の調合薬を送出する吸入器又は他のアトマイザであって、キャリヤが、各々一回投与分の調合薬を収容した複数個の容器又はブリスタパウチを備える吸入器に関する。したがって、「吸入器」という用語は、好ましくは、あらかじめ計量された調合薬を送出する他のアトマイザ又はディスペンサを含むものとして広義に理解されるべきである。
【０００５】
独国特許出願公開第４１０６３７９（Ａ１）号明細書は、コイル状ブリスタストリップを備えた吸入器を開示している。ブリスタストリップのブリスタパウチは各々、一回投与分の粉末状薬剤で満たされており、カバーを剥がし又は引き取ることにより吸入のために次々に開放される。
【０００６】
本発明の目的は、構造が簡単であると共に特にコンパクトさ及び（又は）操作の容易さの点において最適である好ましくは無端のバンドの形をしたキャリヤ又はブリスタストリップを収容する改良型吸入器及び好ましくは粉末状の調合薬を投与し、特に簡単且つ安価な構成を利用しながら簡単且つ確実な操作及び（又は）送出を可能にする方法を提供することにある。
【０００７】
【特許文献１】独国特許出願公開第４１０６３７９（Ａ１）号明細書
【発明の開示】
【０００８】
上述の目的は、請求項１、６、８、１７及び２０のうちいずれか１項に記載の吸入器又は請求項２５、２６又は２７記載の方法によって達成される。有利な別の特徴は、従属形式の請求項に記載されている。
【０００９】
本発明の第１の観点によれば、キャリヤは、吸入器の３６０°未満の円周方向角度にわたって延び、且つ（或いは）キャリヤは、各々少なくとも実質的に同一の曲率を備えた２つのデフレクタ相互間で案内され、且つ（或いは）キャリヤは、もっぱら吸入器の環状セグメント内を延びると共に（或いは）デフレクタを互いに連結する２つの部分のうちの一方は、もっぱら吸入器の円周方向又は外壁に沿って位置することが計画される。この手段により、キャリヤは、考えられる限り最小の曲率を有し、従って、移動及び運搬が比較的楽な単一ループとして延びることができる。この結果、簡単であるが、それにもかかわらずコンパクトな構造が得られる。
【００１０】
特に好ましくは、キャリヤは、バンド及び（又は）ブリスタストリップとして構成される。容器は、好ましくは、ブリスタパウチによって形成される。これにより、簡単且つ安価な製造が可能になる。
【００１１】
これ又別個独立に具体化できる本発明の第２の観点によれば、吸入器は、遊星歯車装置及び（又は）キャリヤを段階的に前進させると共に（或いは）そらす複数個のホイール、特に遊星歯車を備えた運搬装置を有する。ホイールは、同一の直径を有し、共通のアール上に配置され、共通の駆動手段、特に太陽歯車により駆動可能であると共に（或いは）同一の回転方向を有する。これは、キャリヤの所望の容易な作用に寄与する一方で、吸入器のための簡単且つコンパクトな構成を保つ。
【００１２】
これ又別個独立に具体化できる本発明の別の観点によれば、吸入器は、歯車装置を備えた運搬装置を有し、自由移動性が一方向に得られる。特に好ましくは、自由回転が遊星歯車装置の太陽歯車に組み込まれる。これにより、簡単でコンパクトな構成の実現が可能である。
【００１３】
これ又別個独立に具体化できる本発明の別の観点によれば、キャリヤ又はブリスタストリップは、一回投与分の調合薬を収容した容器を個々に好ましくは固定された取出し装置まで運ぶと共に（或いは）容器を開放するために前進方向に対して横方向に動くことができる。これにより、コンパクトで簡単な構成の実現が可能であると共に（或いは）好ましくは吸入器内に設けられたマウスピースの付近への取出し装置の最適な配置が可能である。
【００１４】
本発明の別の観点では、吸入器の好ましくは実質的に丸形のハウジングは、一方の側部が平べったくされ又は凹んでおり、この側部は、特に、ハウジングの一部分及び開放可能なマウスピースカバーの一部分によって形成される。これにより、簡単で直感で分かる操作が可能である。
【００１５】
本発明の別の観点では、キャリヤは、その容器又はブリスタパウチを正確に位置決めするために特に逆止め装置により形成された移動量リミッタに向かってキャリヤを運搬方向とは逆に動かす。かくして、非常に正確な位置決めを非常に簡単な仕方で達成できる。特に、移動量リミッタは、キャリヤを移動させる歯車装置の逆止め装置により形成される。しかしながら、逆止め装置は、理論的には、キャリヤ又はブリスタストリップに直接作用しても良い。
【００１６】
本発明の別の観点によれば、吸入器のマウスピースのカバーの開放中、次の一回投与分を小出しするためにキャリヤ又は対応の容器だけを開放し、カバーを閉じたときにキャリヤだけを動かす。このようにすると、特にカバーを部分的にしか開放しなかった場合の誤動作は、簡単な仕方で少なくとも実質的に回避される。
【００１７】
本発明の別の観点、特徴、性質及び利点は、図面を参照して特許請求の範囲の記載及び好ましい実施形態についての以下の説明を参照すると明らかになろう。
【発明を実施するための最良の形態】
【００１８】
図中、同一の参照符号は、同一又は類似の部品について用いられ、特に、類似の又は対応の利点及び（又は）性質は、関連の説明を繰り返さない場合でも達成される。
【００１９】
図１は、第１の実施形態として提案された吸入器１を蓋又はカバーが設けられていない状態で切除又は開放状態で示す非常に概略的な略図である。
【００２０】
吸入器１は、上述した意味の好ましくは粉末状調合薬２を各々が一回投与分の、特にばらばらになった状態の調合薬２を直接収容する複数の容器、特にブリスタパウチ４を有する好ましくはストリップ状のキャリヤ、特にブリスタストリップ３から送出するのに役立つ。キャリヤは、特に、閉ループを形成し、即ち、キャリヤは、円形又は無端構成のものである。吸入のため及び特に吸入の際、特に一回投与分の調合薬２が容器又はブリスタパウチ４から取り出される。
【００２１】
吸入器１は、キャリヤを段階的に前進させ又は運搬するコンベヤ又は運搬装置５を有している。
【００２２】
吸入器１は、容器を個々に開放すると共に（或いは）調合薬２の投与分を取り出す取出し装置６を更に有している。特に、取出し装置６は、容器を外部から次々に個々に開放することができるように構成されていると共に（或いは）吸入しながら呼吸することにより周囲空気の空気循環流Ｌを吸い込んで、図１に矢印Ｐで示すように吸入器１の関連のマウスピース７を通って周囲空気と一緒に対応の投与分を送出することができる。
【００２３】
吸入器１のマウスピース７は、好ましくは、剛性構造のものであると共に（或いは）吸入器１のハウジング上に形成され又はかかるハウジングによって形成されている。
【００２４】
マウスピース７の代わりに、吸入器１は、例えば調合薬２を送出するために例えば経鼻又は他の投与ルートのための別の端部品を有しても良い。特に、吸入器１は、他の目的のため、例えば、目のためのネブライザとしても使用できる。したがって、「吸入器」という用語は、好ましくは、これに対応して広い意味に理解されるべきである。
【００２５】
運搬装置５は、好ましくは、キャリヤのための２つのデフレクタ８を有する。特に、キャリヤは、特に好ましくは、キャリヤに考えられる限り最も少なく且つ（或いは）考えられる限り最も一様な曲率を与えた状態でキャリヤの考えられる限り最長の長さを吸入器１内に収納できるような仕方で且つ（或いは）吸入器１の簡単且つコンパクトな構成で容易な作用を達成するようにデフレクタ８相互間にのみ延びている。これら個々の観点について以下に詳細に説明する。
【００２６】
キャリヤは、好ましくは、図１に示すようにもっぱら吸入器１の環状セグメント９内で案内される。特に、吸入器１又は環状セグメント９は、吸入器１の特に周辺外壁１０と中間又は内壁１１との間に位置するキャリヤのためのチャネルを形成している。
【００２７】
外壁１０は、特に、吸入器１の特に好ましい実質的に円板上の構造体内で実質的に円に沿って延びている。内壁１１は、好ましくは、筒体の外面の形態をしている。しかしながら、他の形状の採用も可能である。
【００２８】
デフレクタ８は、好ましくは、互いに比較的近接して配置されている。キャリヤは、好ましくは、デフレクタ８から互いに逆方向に遠ざかって延びている。
【００２９】
キャリヤは、好ましくは、吸入器１の少なくとも２７０°及び（又は）３６０°未満の円周方向角度αにわたって延びている。かくして、キャリヤの螺旋又は渦巻形状、それ故に困難な作用を回避することができる。
【００３０】
キャリヤは、少なくとも実質的に一定の曲率を備えた２つのデフレクタ８相互間で案内される。これは、特に、キャリヤを動かし又は運搬する上で所望の容易な作用に寄与する。
【００３１】
キャリヤは、部分的に２つのデフレクタ８相互間に延びている。これら部分のうちの１つ、図示の実施形態では、半径方向外側部分は、好ましくは、もっぱら外壁１０に沿って延びている。これにより、利用可能なスペースの最適利用が行われる一方で、特に、この部分に沿うキャリヤの少なくとも実質的に一定の且つ（或いは）最小の曲率が達成される。
【００３２】
デフレクタ８は、キャリヤを少なくとも１６０°、特に少なくとも実質的に１８０°そらす。これは、吸入器１の所望のコンパクトな構造に寄与する。
【００３３】
２つのデフレクタ８相互間のキャリヤの部分は、好ましくは、互いに少なくとも実質的に一定の間隔を置いた状態で案内される。特に、環状セグメント９の半径方向幅又はキャリヤの好ましくは弧状の広がり又は円周方向角度αにわたる内壁１１からの外壁１０の半径方向間隔は、一定である。
【００３４】
好ましくは、キャリヤは、もっぱら２つのデフレクタ８相互間に延びている。特に、２つのデフレクタ８相互間の部分は、図１で理解できるように、少なくとも実質的に外側弧及び内側弧に沿って、特に、円弧に沿って案内される。
【００３５】
特に、キャリヤ１は、内側が好ましくは円形又は円筒形の内壁１１によって案内される。キャリヤは、外側が又は外壁１０に沿って好ましくは、デフレクタ８、ホイール１２及び（又は）案内要素１３によって案内される。
【００３６】
ホイール１２は、好ましくは、全て一定構造のものであるが、必要ならば、互いに異なる構造のものであっても良い。
【００３７】
少なくとも１つのホイール１２は、好ましくは、キャリヤをインターロック係合方式により運搬し又は動かしてキャリヤを歯車１２の対応の段階的回転によって段階的に次の容器まで前進させ又は運搬することができるように構成されている。これにより、調合薬２を個々の容器から次々に取り出すと共に送出のために取出し装置６を通って個々に取り出すことができる。好ましくは、ホイール１２は全て、インターロック係合方式によりキャリヤの移動又は運搬を可能にするよう構成されている。
【００３８】
特に好ましくは、ホイール１２は、それに応じて、駆動ホイール又は歯車若しくはピニオンとして構成される。かくして、特に、容器は、ホイール１２に設けられた対応の凹部に嵌まり込むことができる。代替的に又は追加的に、ホイール１２は、インターロック係合方式により又は規定された仕方でキャリヤの所望の運搬を可能にするために、歯、突出部等がキャリヤに設けられた対応の凹部、開口部、隙間等に嵌まり込んでも良い。
【００３９】
代替的に又は追加的に、ホイール１２又はホイール１２のうちの少なくとも幾つかは、ローラ等として形成されても良く且つ（或いは）キャリヤとインターロック係合関係をなさなくても良い。さらに適切に言えば、キャリヤは、必要ならば、摩擦係合だけで又は場合によっては滑り又は摺動により案内されても良い。この場合、ホイール１２は、特に空回りの非駆動ローラ等として構成される。
【００４０】
デフレクタ８又はホイール１２は、理論的には、摺動要素又は他の案内手段によって形成されても良い。しかしながら、デフレクタ８をホイール１２によって形成することが特に好ましい。
【００４１】
図示の実施形態では、２つのホイール１２が、デフレクタ８を形成している。加うるに、少なくとも２つの他のホイール１２が、好ましくは、キャリヤ、特にキャリヤの外側部分を外壁１０上で又は外壁１０に沿って案内するために設けられている。しかしながら、これら追加のホイール１２を全て省いても良い。この場合、特に、キャリヤの上述の部分をデフレクタ８相互間で適切に案内する対応のガイド、チャネル又は壁部分が設けられる。
【００４２】
２つのデフレクタ８は、好ましくは、取出し装置６又はマウスピース７と反対側の吸入器１の側部に設けられる。特に好ましくは、キャリヤは、取出し装置６及び（又は）マウスピース７に関して対称に配置される。代替的に又は追加的に、これは、好ましくは、ホイール１２の配列についても当てはまる。
【００４３】
吸入器１内でキャリヤを案内するという提案により得られる特定の利点は、キャリヤがデフレクタ８の付近でのみ湾曲度が非常に高く、特に、同一方向に湾曲するに過ぎないということである。特に、逆方向には急峻な曲がりは存在しない。これは、キャリヤの運搬又は運動中、所望の容易な作用に寄与する。
【００４４】
ホイール１２は、好ましくは、同一直径を有し、特に、構造が同一である。これにより、製造が簡単且つ安価になる。特に好ましくは、ホイール１２の直径は、キャリヤの上述の部分の間隔に実質的に一致する。
【００４５】
ホイール１２は、好ましくは、共通アールＲ上に配置される。特に、これにより、簡単な駆動が可能である。好ましくは、事実、ホイール１２を共通の駆動手段、特に太陽歯車１４によって駆動することができ、この太陽歯車は、図１では部分的にしか示されていない。この場合、一種の遊星歯車が、特に、ホイール１２で形成される。ホイール１２は、好ましくは、キャリヤの規定された運動又は運搬を可能にするために歯車のように歯を有している。変形例として、ホイール１２は、例えば共通駆動手段としての包囲ベルト等によって駆動可能であっても良い。
【００４６】
特に好ましくは、ホイール１２は、キャリヤを動かし又は運搬するために同一方向に回転する。
【００４７】
かくして、運搬装置５の作動中、キャリヤは、引き続き回転的に前送りされ又は運搬され、確かに、次の送出又は吸入のために次の容器まで段階的に前送りされる。運搬装置５は、キャリヤを移動させるための１つだけの駆動装置を構成するのが好ましい。
【００４８】
マウスピース７又は他の端部品は、好ましくは、関連のカバー１５を有し、このカバーは、マウスピース７を開放すると共に（或いは）閉鎖するために動くことができ、特にピボット回転できる。運搬装置５及び（又は）取出し装置６は、好ましくは、カバー１５の開放運動及び（又は）閉鎖運動により作動される。これにより、吸入器１を作動させて用いる非常に簡単で且つ特に直感で分かる方法が提供される。
【００４９】
取出し装置６は、好ましくは、取出し要素１６を有し、この取出し要素は、特に穿通要素として構成され、一定の設計のものであると共に（或いは）マウスピース７に取り付けられる。取出し要素１６は、それぞれの容器又はキャリヤに対して動くことができる。その目的は、それぞれの容器を開放し、特にこれを穿通し、それにより当該容器との流体結合を確立することにある。
【００５０】
好ましくは、相対運動は、キャリヤが案内要素１３によって動かされ又は他の何らかの仕方で特にその運動又は運搬方向に対して横方向に押されることにより実施される。この目的のため、案内要素１３は、それに対応して、動くことができ、特に摺動することができ、最も好ましくはそりのように動くように案内される。この運動又は摺動方向は、図示の実施形態では具体的には半径方向であり、或いは、送出方向又は矢印Ｐの方向又はその逆方向である。
【００５１】
図２は、案内要素１３の好ましい構成を斜視図で示している。案内要素１３は、好ましくはインターロック係合方式でキャリヤを例えば互いに向かって開いた対向した長手方向溝１７内で案内する。しかしながら、他の構成上の手段の採用も可能である。
【００５２】
さらに、図２は、案内要素１３上の好ましくは外側の摺動面、制御溝又は制御湾曲部１８を示している。カバー１５は、この制御溝内に直接又は間接的に嵌まり込むことができ又はこの制御湾曲部１８に係合することができ、その結果、案内要素１３、それ故にキャリヤがそれぞれの容器を選択的に開放し又はこれに接触するよう取出し要素１６に対して所望の仕方で動き又は変位するようになっている。特に、案内要素１３又はキャリヤを所望に応じて規定された仕方で動かす摺動ガイド又は確実なガイドが形成される。しかしながら、他の歯車伝動手段又は作動方式の採用も又可能である。
【００５３】
使用のため、吸入器１のカバー１５を例えば吸入器１の中心軸線回りにピボット回転させ又は回転させることにより開く。これにより、マウスピース７が露出する。この前に、それと同時に又はその後に、運搬装置５を作動させ又はキャリヤを次の容器まで前進させると共に（或いは）次の容器を開く。これは、特に、カバー１５と運搬装置５、特に好ましくは太陽歯車１４との適当な歯車伝動結合方式によって達成される。
【００５４】
キャリヤを所望の仕方で前進させた後、好ましくは、カバー１５の開放又はピボット回転運動が続くと、次の吸入が予定されており、特に、取出し要素１６に対して既に位置決めされ又はその下に既に位置決めされた容器を開く。これを開くため、案内要素１３又はキャリヤを取出し要素１６に対して動かして取出し要素が容器を開き、具体的にはブリスタパウチ３の箔カバー又は覆いに食い込んでこれを切断して開き、これを穿通し又はこれを引き裂いて開くようにする。この状態は、図１に示されると共にマウスピース７の一部の切除概略断面図の状態で図３に示されている。この状態では、カバー１５は、完全に開き、吸入器１は、いつでも送出又は吸入可能な状態にある。
【００５５】
特に好ましい別の特徴によれば、キャリヤは、カバー１５の開放中、それ以上運搬されず、開放運動中にのみ（特に、開放運動の終わりにのみ）開かれる。特に、キャリヤのそれぞれの容器は、取出し要素１６により穿通される。特に好ましくは、開放は、キャリヤ又は対応の容器を好ましくは静止状態の取出し要素１６まで動かすことにより行われる。このように、開放運動が終わりになると、カバー１５は、特に完全に開く。今や、開放状態の容器に入っている投与分の送出又は吸入が可能である。投与分の送出又は吸入がいったん完了すると、カバー１５を再び閉鎖する。閉鎖運動の際、先ず最初に、第１の段階では、取出し要素１６及びキャリヤを互いに遠ざけ、特に、キャリヤを取出し要素１６から再び遠ざけてキャリヤを前へ動かすことができるようにする。次に、カバー１５の閉鎖運動の第２段階において、キャリヤを先へ進め、その結果、次の容器が既に定位置に存在し又は少なくとも実質的に正確に位置決めされるようにする。この手順は、閉鎖位置から始まる吸入器１又はカバー１５の部分開放によっては、キャリヤのそれ以上の運動が生じないという利点を有する。
【００５６】
上述した別の特徴では、フリーホイール（一方向）クラッチ２２又は逆止め装置２８が、特に、第２の実施形態を参照して以下に説明するように、キャリヤがカバー１５の開放中、後戻りせず又は正確な位置決めのために僅かしか後戻りしないようにする。
【００５７】
図４は、カバー１５が開いた状態の吸入器１を輪郭図で示している。カバー１５は、吸入器１の好ましくは円板状のハウジング１９を特に両側が扇形の形をした状態で且つ例えば約１２０°〜１８０°の円周方向角度又は円周方向部分に沿って包囲している。好ましくは、少なくとも１つの停止部、この場合、半径方向停止部２０が、ピボット回転運動、特に開放運動と閉鎖運動の両方を制限するために設けられている。
【００５８】
ユーザ又は患者（図示せず）が、マウスピース１０を介して呼吸し又は空気を吸い込むと、周囲空気の空気の流れＬは、吸い込まれて開放状態又は穿通状態の容器を通って導かれて容器内に入っている調合薬２が空気流Ｌにより取出し要素１６及び隣接のマウスピース７を通って噴霧化形態で、即ち、エーロゾル雲又はスプレーミストとして送出されるようになっている。
【００５９】
容器を空にし、調合薬２を送出した後、吸入器１又はカバー１５を再び閉鎖するのが良い。このようにするため、カバー１５を好ましくは、開放方向とは逆に回転させ又はピボット回転させる。対応の運動の自由度又はロック機構体は、キャリヤ又はブリスタストリップ３が望ましくない仕方で逆方向に動かず又は運搬されないようにする。
【００６０】
上述した変形実施形態によれば、開放運動に加えて又は特にその代替手段として、閉鎖運動も又、運搬装置５を作動させ又はキャリヤを次の容器まで前進させ又は更に先に運搬するために使用できる。
【００６１】
吸入器１は、好ましくは、携帯可能な構成のものである。特に好ましくは、この吸入器は、純粋に機械的に動作する。
【００６２】
吸入器１は、好ましくは、既に用いられた容器又はまだ用いられていない容器をカウントし、特に表示するカウンタ（図示せず）を有する。
【００６３】
提案された吸入器１の第２の実施形態について図５を参照して以下に詳細に説明する。特に、第１の実施形態とは異なる大きな相違点についてのみ説明するが、このことは、他の注意事項及び説明がそのまま又は補完的に依然として当てはまることを意味している。
【００６４】
第２の実施形態では又は図５の断面図では、キャリヤを前進させ又は更に運搬するための吸入器１又は運搬装置５の歯車装置、特に歯車又は遊星歯車装置２１が示されている。しかしながら、理論的には、任意他の適当な歯車装置を用いることができる。ただし、遊星歯車装置２１が特に好ましい。
【００６５】
好ましくは、吸入器１又は運搬装置５は、ドライブトレーン又は歯車装置の一駆動又は回転方向に自由回転する装置又はフリーホイールクラッチ２２である。
【００６６】
特に好ましくは、自由回転装置又はフリーホイールクラッチ２２は、駆動ホイール又は歯車、特に太陽歯車１４と関連し又はこの中に配置され又は組み込まれている。図示の実施形態では、自由回転装置又はフリーホイールクラッチ２２は、少なくとも１つの好ましくは接線方向に且つ（或いは）半径方向に突き出たフィンガ２４（最も好ましくは２つのフィンガ２４）を備えた駆動要素２３を有している。駆動要素２３は、関連の駆動ホイール若しくは歯車又は太陽歯車１４の１つ又は複数のフィンガ２４によってインターロック係合関係をなして一回転方向（図示の実施形態では、反時計回りの方向）に係合して関連の駆動ホイール若しくは歯車又は太陽歯車１４をこの方向に駆動する。他方の方向又は他方の回転方向では、フィンガ２４は滑り又は空回りすることができる。特に、関連の駆動ホイール若しくは歯車又は太陽歯車１４には内歯２５が形成されており、フィンガ２４は、これら内歯に係合することができる。しかしながら、他の構成上の手段も又可能である。
【００６７】
太陽歯車１４は、好ましくは、中間歯車２６を介して遊星歯車装置２１の関連の遊星歯車２７を駆動する。中間歯車２６は、好ましくは、特にコンパクトな構造を達成するために太陽歯車１４の周りに一様に分布して設けられている。変形例として、太陽歯車１４は、遊星歯車２７を直接駆動しても良い。
【００６８】
遊星歯車２７は、好ましくは、キャリヤを案内すると共に（或いは）運搬するために歯車１２と同軸に配置されている。特に好ましくは、遊星歯車２７は、１対ずつ共通アクスルに歯車１２回りに取り付けられると共に（或いは）一体構造のものである。例えば、遊星歯車２７は、ホイール１２上に形成されても良く、又その逆の関係であっても良い。
吸入器１又は運搬装置５は、好ましくは、キャリヤの望ましくない逆転を安全に阻止すると共に（或いは）キャリヤの運動に対する規定された端停止部を形成する逆止め機構体２８を有する。逆止め機構体２８は、好ましくは、運搬装置５又はその歯車に作用し、即ち、図示の実施形態では、遊星歯車２７に作用する。例えば、逆止め機構体２８を特に弾性的に付勢される係止ラッチ等によって形成するのが良く、かかる弾性的に付勢される係止ラッチは、望ましくない逆方向回転及び逆転を阻止する。代替的に又は追加的に、逆止め機構体２８は、キャリヤそれ自体にも作用して良い。
【００６９】
図示の実施形態では、駆動要素２３は、好ましくは、駆動関係をなしてカバー１５に結合されており、その結果、駆動要素２３は、開閉中、同時に回転するようになっている。一回転方向では、フリーホイールクラッチ２２は、定位置にロックし、太陽歯車１４を回転させて遊星歯車を駆動し、それに応じて、キャリヤをホイール１２によって先へ運ぶ。他方の回転方向では、フリーホイールクラッチ２２は、少なくとも逆止め機構体２８の作用下において、作用を発揮し又は回転し若しくは滑り、その結果、キャリヤは、もはや後方には動かされず又はせいぜい逆止め機構体２８の停止部又はバリヤまで動かされるに過ぎない。逆止め機構体２８による規定された停止部までのこの逆転は、逆方向へのフリーホイールクラッチ２２の対応の摩擦又は強制的係合によって達成できると共に（或いは）キャリヤの非常に正確な位置決めが得られるよう利用できる。
【００７０】
好ましくは、吸入器１は、キャリヤが次の容器まで進む時にキャリヤが先ず最初に常時幾分遠すぎるほど先まで前進するよう構成されている。容器を開放する前に、キャリヤを移動量リミッタまで又は逆止め機構体２８が作用を発揮するまで戻す。かくして、開放されるべき容器は、先ず最初に、特にこの容器を取出し要素１６まで動かすことにより開放が生じる取出し位置に非常に正確に位置決めされる。
【００７１】
特に好ましくは、キャリヤ又は開放されるべきキャリヤ内の容器を規定された端停止部（逆止め機構体２８によって形成される）まで逆転させることは、上述した変形実施形態（カバー１５が閉じられた場合にのみキャリヤを前進させる）で用いられ、その結果、吸入器１又はカバー１５の初期開放中、キャリヤを停止部まで戻し、開放されるべき容器を取出し要素１６に対して正確に位置決めする。すると、容器の実際の開放が上述したようにカバー１５の次の開放運動中に生じる。
【００７２】
一般的に言って、フリーホイールクラッチ２２は他の何らかの仕方で構成できることは指摘されるべきである。逆止め機構体２８も又、他の何らかの仕方で形成できる。特に、逆止め機構体２８は、必要ならば、キャリヤ２に直接作用しても良く、オプションとして、容器又はブリスタパウチ４に直接作用しても良い。
【００７３】
注目されるべきこととして、開放状態のカバー１５は、好ましくは、マウスピース７を露出させる。ただし、これは図５には示されていない。
【００７４】
図５は、好ましくは吸入器１のハウジングによる案内要素１３の好ましいそり状の案内方式を純粋に概略的な形態で示している。
【００７５】
吸入器１又はそのハウジング１９は、特に、実質的に丸い形状及び（又は）平べったくされた又は凹んだ（凹状）の側部を有している。一例として挙げられた実施形態では、この平べったくされた又は凹んだ側部は、特に好ましくは、吸入器１のハウジング１９の一部分２９及び（又は）カバー１５の一部分３０によって形成される。この部分２９は、特に、吸入器１を保持し又は掴むために役立ち又はユーザ（図示せず）の指、特に親指の当接面として役立つ。部分３０は、特に、好ましくはカバー１５を開放している間又はカバーを開放する目的で、ユーザ（図示せず）の指又は親指のための作動面として役立つ。吸入器１を閉鎖すると、これら２つの部分２９，３０は、好ましくは、互いに並んで配置され、特に、吸入器１の少なくとも実質的に連続した外面を形成する。カバー１５を開放するため、２つの部分２９，３０を好ましくは互いに押し離すのが良い。これにより、非常に簡単且つ（或いは）直感で分かる操作が可能である。
【００７６】
一般的に言って、２つの実施形態に関し、キャリヤ３は、好ましくはそれぞれの容器又はブリスタパウチ４を取出し装置６又はその取出し要素１６に流体結合すると共に（或いは）かかる容器又はパウチ４を開放するため、運搬方向又は半径方向に対して直角をなし又は垂直に動かされ又は変位されることは注目されるべきである。取出し装置６又はその取出し要素１６は、それに対応して、好ましくは、構成的に固定される。ブリスタパウチ４からの調合薬２の取り出し又は吸入後、キャリヤを好ましくは再び逆方向に戻すと、キャリヤを先に運搬することができる。
【００７７】
キャリヤを開放するためにキャリヤを側方に運動させることは、好ましくは、カバー１５の開放運動又は閉鎖運動により、特に、歯車装置とは別個に、特に好ましくは、摺動ガイド又は他の確実なガイドによって実施され、かかる摺動ガイド又は他の確実なガイドは、カバー１５の運動（この場合、取出し要素１６に向かう運動又はこれから遠ざかる運動）に対する所望の依存性を持って、これに対応して、案内要素１３及びそれ故に取出し位置にあるキャリヤ又は容器を動かし又は変位させる。
【００７８】
２つの実施形態の個々の特徴及び観点は又、所望に応じて互いに組み合わせることが可能であると共に（或いは）他の吸入器１に用いることができる。
【００７９】
好ましい医薬製剤又は調合薬２の幾つかの好ましい成分及び（又は）組成が以下に列記されている。上述したように、医薬製剤又は調合薬は、広義には特に粉末又は液体である。特に好ましくは、調合薬２は、以下を含む。
【００８０】
以下に列記する化合物をこれらそれ自体で又は組合せ状態で本発明の器具に用いることができる。以下に記載する化合物に関し、Ｗは、薬理学的に有効な物質であり、ベータミメティック（Betamimetic）、抗コリン作用薬、コルチコステロイド、ＰＤＥ４−阻害薬、ＬＴＤ４−拮抗薬、ＥＧＦＲ−阻害薬、ドーパミン作用薬、Ｈ１−抗ヒスタミン薬、ＰＡＦ−拮抗薬及びＰＩ３−キナーゼ阻害薬の中から（例示として）選択される。さらに、Ｗの２つの組合せ又は３つの組合せを組み合わせて本発明の器具に用いることができる。Ｗの組合せは、例えば次のようなものが考えられる。
・Ｗは、抗コリン作用薬、コルチコステロイド、ＰＤＥ４−阻害薬、ＥＧＦＲ−阻害薬又はＬＴＤ４−拮抗薬と組み合わせられるベータミメティックを意味する。
・Ｗは、ベータミメティック、コルチコステロイド、ＰＤＥ４−阻害薬、ＥＧＦＲ−阻害薬又はＬＴＤ４−拮抗薬と組み合わせられる抗コリン作用薬を意味する。
・Ｗは、ＰＤＥ４−阻害薬、ＥＧＦＲ−阻害薬又はＬＴＤ４−拮抗薬と組み合わせられるコルチコステロイドを意味する。
・Ｗは、ＥＧＦＲ−阻害薬又はＬＴＤ４−拮抗薬と組み合わせられるＰＤＥ４−阻害薬を意味する。
・Ｗは、ＬＴＤ４−拮抗薬と組み合わせられるＥＧＦＲ−阻害薬を意味する。
【００８１】
ベータミメティックとして用いられる化合物は、好ましくは、アルブテロール、アルフォルモテロール、バンブテロール、ビトルテロール、ブロクサテロール、カルブテロール、クレンブテロール、フェノテロール、ホルモテロール、ヘキソプレナリン、イブテロール、イソエタリン、イソプレナリン、レボサルブタモル、マブテロール、メルアドリン、メタプロテレノール、オルチプレナリン、ピルブテロール、プロカテロール、レプロテロール、リミテロール、リトドリン、サルメファモル、サルメテロール、ソテレノール、スルホンテロール、テルブタリン、チアラミド、トルブテロール、ジンテロール、ＣＨＦ−１０３５、ＨＯＫＵ−８１、ＫＵＬ−１２４８及び
・３−（４−｛６−［２−ヒドロキシ−２−（４−ヒドロキシ−３−ヒドロキシメチル−フェニル）−エチルアミノ］−ヘキシロキシ｝−ブチル）−ベンジル−スルホナミド、
・５−［２−（５，６−ジエチル−インダン−２−イルアミノ）−１−ヒドロキシ−エチル］−８−ヒドロキシ−１Ｈ−キノリン−２−オン、
・４−ヒドロキシ−７−［２−｛［２−｛［３−（２−フェニルエトキシ）プロピル］スルホニル｝エチル］−アミノ｝エチル］−２（３Ｈ）−ベンゾチアゾロン、
・１−（２−フルオロ−４−ヒドロキシフェニル）−２−［４−（１−ベンジミダゾリル）−２−メチル−２−ブチルアミノ］エタノール、
・１−［３−（４−メトキシベンジル−アミノ）−４−ヒドロキシフェニル］−２−［４−（１−ベンジミダゾリル）−２−メチル−２−ブチルアミノ］エタノール、
・１−［２Ｈ−５−ヒドロキシ−３−オキソ−４Ｈ−１，４−ベンゾキサジン−８−イル］−２−［３−（４−Ｎ，Ｎ−ジメチルアミノフェニル）−２−メチル−２−プロピルアミノ］エタノール、
・１−［２Ｈ−５−ヒドロキシ−３−オキソ−４Ｈ−１，４−ベンゾキサジン−８−イル］−２−［３−（４−メトキシフェニル）−２−メチル−２−プロピルアミノ］エタノール、
・１−［２Ｈ−５−ヒドロキシ−３−オキソ−４Ｈ−１，４−ベンゾキサジン−８−イル］−２−［３−（４−ｎ−ブチルオキシフェニル）−２−メチル−２−プロピルアミノ］エタノール、
・１−［２Ｈ−５−ヒドロキシ−３−オキソ−４Ｈ−１，４−ベンゾキサジン８−イル］−２−｛４−［３−（４−メトキシフェニル）−１，２，４−トリアゾル−３−イル］−２−メチル−２−ブチルアミノ｝エタノール、
・５−ヒドロキシ−８−（１−ヒドロキシ−２−イソプロピルアミノブチル）−２Ｈ−１，４−ベンゾキサジン−３−（４Ｈ）−オン、
・１−（４−アミノ−３−クロロ−５−トリフルオルメチルフェニル）−２−ｔ−ブチルアミノ）エタノール、
・６−ヒドロキシ−８−｛１−ヒドロキシ−２−［２−（４−メトキシ−フェニル）−１，１−ジメチル−エチルアミノ］−エチル｝−４Ｈ−ベンゾ［１，４］オキサジン−３−オン、
・６−ヒドロキシ−８−｛１−ヒドロキシ−２−［２−（エチル４−フェノキシ−アセテート）−１，１−ジメチル−エチルアミノ］−エチル｝−４Ｈ−ベンゾ［１，４］オキサジン−３−オン、
・６−ヒドロキシ−８−｛１−ヒドロキシ−２−［２−（４−フェノキシ−酢酸）−１，１−ジメチル−エチルアミノ］−エチル｝−４Ｈ−ベンゾ［１，４］オキサジン−３−オン、
・８−｛２−［１，１−ジメチル−２−（２，４，６−トリメチルフェニル）−エチルアミノ］−１−ヒドロキシ−エチル｝−６−ヒドロキシ−４Ｈ−ベンゾ［１，４］オキサジン−３−オン、
・６−ヒドロキシ−８−｛１−ヒドロキシ−２−［２−（４−ヒドロキシ−フェニル）−１，１−ジメチル−エチルアミノ］−エチル｝−４Ｈ−ベンゾ［１，４］オキサジン−３−オン、
・６−ヒドロキシ−８−｛１−ヒドロキシ−２−［２−（４−イソプロピル−フェニル）−１，１−ジメチル−エチルアミノ］−エチル｝−４Ｈ−ベンゾ［１，４］オキサジン−３−オン、
・８−｛２−［２−（４−エチル−フェニル）−１，１−ジメチル−エチルアミノ］−１−ヒドロキシ−エチル｝−６−ヒドロキシ−４Ｈ−ベンゾ［１，４］オキサジン−３−オン、
・８−｛２−［２−（４−エトキシ−フェニル）−１，１−ジメチル−エチルアミノ］−１−ヒドロキシ−エチル｝−６−ヒドロキシ−４Ｈ−ベンゾ［１，４］オキサジン−３−オン、
・４−（４−｛２−［２−ヒドロキシ−２−（６−ヒドロキシ−３−オキソ−３，４−ジヒドロ−２Ｈ−ベンゾ［１，４］オキサジン−８−イル）−エチルアミノ］−２−メチル−プロピル｝−フェノキシ）−酪酸、
・８−｛２−［２−（３，４−ジフルオロ−フェニル）−１，１−ジメチル−エチルアミノ］−１−ヒドロキシ−エチル｝−６−ヒドロキシ−４Ｈ−ベンゾ［１，４］オキサジン−３−オン、
・１−（４−エトキシ−カルボニルアミノ−３−シアノ−５−フルオロフェニル）−２−（ｔ−ブチルアミノ）エタノール、
・２−ヒドロキシ−５−（１−ヒドロキシ−２−｛２−［４−（２−ヒドロキシ−２−フェニル−エチルアミノ）−フェニル］−エチルアミノ｝−エチル）−ベンズアルデヒド、
・Ｎ−［２−ヒドロキシ−５−（１−ヒドロキシ−２−｛２−［４−（２−ヒドロキシ−２−フェニル−エチルアミノ）−フェニル］−エチルアミノ｝−エチル）−フェニル］−ホルムアミド、
・８−ヒドロキシ−５−（１−ヒドロキシ−２−｛２−［４−（６−メトキシ−ビフェニル−３−イルアミノ）−フェニル］−エチルアミノ｝−エチル）−１Ｈ−キノリン−２−オン、
・８−ヒドロキシ−５−（１−ヒドロキシ−２−（６−フェネチルアミノ−ヘキシルアミノ）−エチル）−１Ｈ−キノリン−２−オン、
・５−［２−（２−｛４−［４−（２−アミノ−２−メチル−プロポキシ）−フェニルアミノ］−フェニル｝−エチルアミノ）−１−ヒドロキシ−エチル］−８−ヒドロキシ−１Ｈ−キノリン−２−オン、
・［３−（４−｛６−［２−ヒドロキシ−２−（４−ヒドロキシ−３−ヒドロキシメチル−フェニル）−エチルアミノ］−ヘキシルオキシ｝−ブチル）−５−メチル−フェニル］−ウレア、
・４−（２−｛６−［２−（２，６−ジクロロ−ベンジルオキソ）−エトキシ］−ヘキシルアミノ｝−１−ヒドロキシ−エチル）−２−ヒドロキシメチル−フェノール、
・３−（４−｛６−［２−ヒドロキシ−２−（４−ヒドロキシ−３−ヒドロキシメチル−フェニル）−エチルアミノ］−ヘキシルオキシ｝−ブチル）−ベンジルスルホンアミド、
・３−（３−｛７−［２−ヒドロキシ−２−（４−ヒドロキシ−３−ヒドロキシメチル−フェニル）−エチルアミノ］−ヘプチルオキシ｝−プロピル）−ベンジルスルホンアミド、
・４−（２−｛６−［４−（３−シクロペンタンスルホニル−フェニル）−ブトキシ］−ヘキシルアミノ｝−１−ヒドロキシ−エチル）−２−ヒドロキシメチル−フェノール
、
・Ｎ−アダマンタン−２−イル−２−（３−｛２−［２−ヒドロキシ−２−（４−ヒドロキシ−３−ヒドロキシメチル−フェニル）−エチルアミノ］−プロピル｝−フェニル）−アセトアミドの中から選択された化合物であり、
オプションとして上記化合物のラセミ化合物、エナンチオマー又はジアステレオマー及びオプションとして上記化合物の薬理学的に容認できる酸添加塩、溶媒化合物又は水和物である。本発明によれば、ベータミメティックの酸添加塩は、好ましくは、ヒドロクロリド（塩酸塩）、ヒドロブロミド（臭化水素酸塩）、ヒドロイオジド（沃化水素酸）、ヒドロスルフェート（重硫酸塩）、ヒドロホスフェート、ヒドロメタンスルホネート、ヒドロニトレート、ヒドロマレエート、ヒドロアセテート、ヒドロシトレート、ヒドロフマレート、ヒドロタルトレート、ヒドロオキサレート、ヒドロスクシネート、ヒドロベンゾエート及びヒドロ−ｐ−トルエンスルホネートの中から選択される。
【００８２】
用いられる抗コリン作用薬は、好ましくは、チオトロピウム塩、好ましくはブロミド塩、オキシトロピウム塩、好ましくはブロミド塩、フルトロピウム塩、好ましくはブロミド塩、イプラトロピウム塩、好ましくはブロミド塩、グリコピロニウム塩、好ましくはブロミド塩、トロスピウム塩、好ましくはクロリド塩、トルテロジンの中から選択された化合物である。好ましくはブロミド塩の中から選択された化合物である。上述の塩に関し、陽イオンは、薬理学的に有効な成分である。陰イオンとして、上述の塩は、好ましくは、クロリド、ブロミド、イオジド、スルフェート、ホスフェート、メタンスルホネート、ニトレート、マレエート、アセテート、シトレート、フマレート、タルトレート、オキサレート、スクシネート、ベンゾエート及びｐ−トルエンスルホネートを含むのが良く、クロリド、ブロミド、イオジド、スルヘート、メタンスルホネート、又はｐ−トルエンスルホネートが対イオンとして好ましい。全ての塩のうちで、クロリド、ブロミド、イオジド及びメタンスルホネートが特に好ましい。
【００８３】
他の好ましい抗コリン作用薬は、次の化学式ＡＣ−１、即ち、
【化１】
0005455039.tif 000002
の塩の中から選択され、この化学式において、Ｘ-は、単一の負の電荷を備えた陰イオン、好ましくは、フルオリド、クロリド、ブロミド、イオジド、スルフェート、ホスフェート、メタンスルホネート、ニトレート、マレエート、アセテート、シトレート、フマレート、タルトレート、オキサレート、スクシネート、ベンゾエート及びｐ−トルエンスルホネートの中から選択された陰イオン、好ましくは、単一の負の電荷を備えた陰イオン、特に好ましくは、フルオリド、クロリド、ブロミド、メタンスルホネート及びｐ−トルエンスルホネートの中から選択された陰イオン、特に好ましくはブロミドを意味し、オプションとしてこれらのラセミ化合物、エナンチオマー又は水和物を意味している。次の化学式ＡＣ−１−ｅｎ、即ち、
【化２】
0005455039.tif 000003
のエナンチオマーを含む薬理学的な組合せが特に重要であり、この化学式において、Ｘ-は、上述の意味を有するのが良い。他の好ましい抗コリン作用薬は、次の化学式ＡＣ−２、即ち、
【化３】
0005455039.tif 000004
の塩から選択され、この化学式において、Ｒは、メチルかエチルかのいずれかを表し、Ｘ-は、上述の意味を有するのが良い。変形実施形態では、化学式ＡＣ−２の化合物は、次の自由塩基ＡＣ−２−ｂａｓｅ、即ち、
【化４】
0005455039.tif 000005
の形態で存在しても良い。
【００８４】
他の特定される化合物は、次の通りである。
・トロペノール２，２−ジフェニルプロピオネートメトブロミド、
・スコピン２，２−ジフェニルプロピオネートメトブロミド、
・スコピン２，２−フルオロ−２，２−ジフェニルアセテートメトブロミド、
・トロペノール２−フルオロ−２，２−ジフェニルアセテートメトブロミド、
・トロペノール３，３′，４，４′−テトラフルオロベンジレートメトブロミド、
・スコピン３，３′，４，４′−テトラフルオロベンジレートメトブロミド、
・トロペノール４，４′−ジフルオロベンジレートメトブロミド、
・スコピン４，４′−ジフルオロベンジレートメトブロミド、
・トロペノール３，３′−ジフルオロベンジレートメトブロミド、
・スコピン３，３′−ジフルオロベンジレートメトブロミド、
・トロペノール９−ヒドロキシ−フルオレン−９−カルボキシレートメトブロミド、
・トロペノール９−フルオロ−フルオレン−９−カルボキシレートメトブロミド、
・スコピン９−ヒドロキシ−フルオレン−９−カルボキシレートメトブロミド、
・スコピン９−フルオロ−フルオレン−９−カルボキシレートメトブロミド、
・トロペノール９−メチル−フルオレン−９−カルボキシレートメトブロミド、
・スコピン９−メチル−フルオレン−９−カルボキシレートメトブロミド、
・シクロプロピルトロピンベンジレートメトブロミド、
・シクロプロピルトロピン２，２−ジフェニルプロピオネートメトブロミド、
・シクロプロピルトロピン９−ヒドロキシ−キサンテン−９−カルボキシレートメトブロミド、
・シクロプロピルトロピン９−メチル−フルオレン−９−カルボキシレートメトブロミド
・シクロプロピルトロピン９−メチル−キサンテン−９−カルボキシレートメトブロミド
・シクロプロピルトロピン９−ヒドロキシ−フルオレン−９−カルボキシレートメトブロミド
・シクロプロピルトロピンメチル４，４′−ジフルオロベンジレートメトブロミド、
・トロペノール９−ヒドロキシ−キサンテン−９−カルボキシレートメトブロミド、
・スコピン９−ヒドロキシ−キサンテン−９−カルボキシレートメトブロミド、
・トロペノール９−メチル−キサンテン−９−カルボキシレートメトブロミド、
・スコピン９−メチル−キサンテン−９−カルボキシレートメトブロミド、
・トロペノール９−エチル−キサンテン−９−カルボキシレートメトブロミド、
・トロペノール９−ジフルオロメチル−キサンテン−９−カルボキシレートメトブロミド、
・スコピン９−ヒドロキシメチル−キサンテン−９−カルボキシレートメトブロミド。
【００８５】
上述の化合物は、本発明の範囲内で塩としても使用でき、この場合、メトブロミドに代えて、塩メト−Ｘが用いられ、この場合、Ｘは、Ｘ-について上述した意味を有するのが良い。
【００８６】
コルチコステロイドとして、ベクロメタソン（beclomethasone）、ベータメタソン（betamethasone）、ブデソニド（budesonide）、ブチキソコルテ（butixocorte）、シクレソニド（ciclesonide）、デフラザコルテ（deflazacorte）、デキサメタソン（dexamethasone）、エチプレドノル（etiprednole）、フルニソリド（flunisolide）、フルチカソン（fluticasone）、ロテプレドノル（loteprednole）、モメタソン（mometasone）、プレドニソロン（prednisolone）、プレドニソン（prednisone）、ロフレポニド（rofleponide）、トリアムシノロン（triamcinolone）、ＲＰＲ−１０６５４１、ＮＳ−１２６、ＳＴ−２６及び
・（Ｓ）−フルオロメチル  ６，９−ジフルオロ−１７−［（２−フラニルカルボニル）オキシ］−１１−ヒドロキシ−１６−メチル−３−オキソ−アンドロスタ−１，４−ジエン−１７−カルボチオネート、
・（Ｓ）−（２−オキソ−テトラヒドロ−フラン−３Ｓ−イル）６，９−ジフルオロ−１１−ヒドロキシ−１６−メチル−３−オキソ−１７−プロピオニルオキシ−アンドロスタ−１，４−ジエン−１７−カルボチオネート、
・シアオメチル  ６α，９α−ジフルオロ−１１β−ヒドロキシ−１６α−メチル−３−オキソ−１７α−（２，２，３，３−テトラメチルシクロプロピルカルボニル）オキシ−アンドロスタ−１，４−ジエン−１７β−カルボン酸シアノメチルエステルの中から選択された化合物を用いることが好ましく、
オプションとして上記化合物のラセミ化合物、エナンチオマー又はジアステレオマー及びオプションとして上記化合物の薬理学的に容認できる塩及びその誘導体、溶媒化合物及び（又は）水和物が用いられる。ステロイドと言った場合、これは、存在し得るステロイドの塩又はその誘導体、水和物又は溶媒化合物を含む。考えられるステロイドの塩及びその誘導体の例は、アルカリ金属、例えばナトリウム塩、カリウム塩、スルホベンゾエート、ホスフェート、イソニコチネート、アセテート、ジクロロアセテート、プロピオネート、ジヒドロゲンホスフェート、パルミテート、ピバレート又はフロエートである。
【００８７】
使用できるＰＤＥ４−阻害薬は、好ましくは、エンプロフィリン、テオフィルリン、ロフルミラスト、アリフロ（チロミラスト）、トフィミラステ（tofimilaste）、プマフェントリン（pumafentrine）、リリミラステ（lirimilaste）、アロフィリン（arofylline）、アチゾラム（atizorame）、Ｄ−４４１８、ベイ（Ｂａｙ）−１９８００４、ＢＹ３４３、ＣＰ−３２５．３６６、Ｄ−４３９６（Ｓｃｈ−３５１５９１）、ＡＷＤ−１２−２８１（ＧＷ−８４２４７０）、ＮＣＳ−６１３、ＣＤＰ−８４０、Ｄ−４４１８、ＰＤ−１６８７８７、Ｔ−４４０、Ｔ２５８５、Ｖ−１１２９４Ａ、Ｃ１−１０１８、ＣＤＣ−８０１、ＣＤＣ−３０５２、Ｄ−２２８８８、ＹＭ−５８９９７、Ｚ−１５３７０及び、
・Ｎ−（３，５−ジクロロ−１−オキソ−ピリジン−４−イル）−４−ジフルオロメトキシ−３−シクロプロピルメトキシベンザミド、
・（−）ｐ−［（４ａＲ*，１０ｂＳ*）−９−エトキシ−１，２，３，４，４ａ，１０ｂ−ヘキサヒドロ−８−メトキシ−２−メチルベンゾ［ｓ］［１，６］ナフチリジン−６−イル］−Ｎ，Ｎ−ジイソプロピルベンザミド、
・（Ｒ）−（＋）−１−（４−ブロモベンジル）−４−［（３−シクロペンチルオキシ）−４−メトキシフェニル］−２−ピロリドン、
・３−（シクロペンチルオキシ−４−メトキシフェニル）−１−（４−Ｎ′−［Ｎ−２−シアノ−Ｓ−メチル−イソチオウレイド］ベンジル）−２−ピロリドン、
・シス［４−シアノ−４−（３−シクロペンチルオキシ−４−メトキシフェニル）シクロヘキサン−１−カルボン酸］、
・２−カルボメトキシ−４−シアノ−４−（３−シクロプロピルメトキシ−４−ジフルオロメトキシフェニル）シクロヘキサン−１−オン、
・シス［４−シアノ−４−（３−シクロプロピルメトキシ−４−ジフルオロメトキシフェニル）シクロヘキサン−１−オル］、
・（Ｒ）−（＋）−エチル［４−（３−シクロペンチルオキシ−４−メトキシフェニル）ピロリジン−２−イリデン］アセテート、
・（Ｓ）−（−）−エチル［４−（３−シクロペンチルオキシ−４−メトキシフェニル）ピロリジン−２−イリデン］アセテート、
・９−シクロペンチル−５，６−ジヒドロ−７−エチル−３（２−チエニル）−９Ｈ−ピラゾロ［３，４−ｃ］−１，２，４−トリアゾロ［４，３−ａ］ピリジン、
・９−シクロペンチル−５，６−ジヒドロ−７−エチル−３−（ｔ−ブチル）−９Ｈ−ピラゾロ［３，４−ｃ］−１，２，４−トリアゾロ［４，３−ａ］ピリジンの中から選択された化合物であり、
オプションとして上記化合物のラセミ化合物、エナンチオマー又はジアステレオマー及びオプションとして上記化合物の薬理学的に容認できる酸添加塩、溶媒化合物及び（又は）水和物である。本発明によれば、ＰＤＥ４阻害薬の酸添加塩は、好ましくは、ヒドロクロリド（塩酸塩）、ヒドロブロミド（臭化水素酸塩）、ヒドロイオジド（沃化水素酸）、ヒドロスルフェート（重硫酸塩）、ヒドロホスフェート、ヒドロメタンスルホネート、ヒドロニトレート、ヒドロマレエート、ヒドロアセテート、ヒドロシトレート、ヒドロフマレート、ヒドロタルトレート、ヒドロオキサレート、ヒドロスクシネート、ヒドロベンゾエート及びヒドロ−ｐ−トルエンスルホネートの中から選択される。
【００８８】
用いられるＬＴＤ４−拮抗薬は、好ましくは、モンテルカスト、プランルカスト、ザフィルルカスト、ＭＣＣ−８４７（ＺＤ−３５２３）、ＭＮ−００１、ＭＥＮ−９１５０７（ＬＭ−１５０７）、ＶＵＦ−５０７８、ＶＵＦ−Ｋ−８７０７、Ｌ−７３３３２１、及び
・１−（（（Ｒ）−（３−（２−（６，７−ジフルオロ−２−キノリニル）エテニル）フェニル）−３−（２−（２−ヒドロキシ−２−プロピル）フェニル）チオ）メチルシクロプロパン−酢酸、
・１−（（（１（Ｒ）−３（３−（２−（２，３−ジクロロチエノ［３，２−ｂ］ピリジン−５−イル）−（Ｅ）−エテニル）フェニル）−３−（２−（１−ヒドロキシ−１−メチレチル）フェニル）プロピル）チオ）メチル）シクロプロパン−酢酸、
・［２−［［２−（４−ｔ−ブチル−２−チアゾリル）−５−ベンゾフラニル］オキシメチル］フェニル］酢酸の中から選択された化合物であり、
オプションとして上記化合物のラセミ化合物、エナンチオマー又はジアステレオマー及びオプションとして上記化合物の薬理学的に容認できる酸添加塩、溶媒化合物及び（又は）水和物である。本発明によれば、これらの酸添加塩は、好ましくは、ヒドロクロリド（塩酸塩）、ヒドロブロミド（臭化水素酸塩）、ヒドロイオジド（沃化水素酸）、ヒドロスルフェート（重硫酸塩）、ヒドロホスフェート、ヒドロメタンスルホネート、ヒドロニトレート、ヒドロマレエート、ヒドロアセテート、ヒドロシトレート、ヒドロフマレート、ヒドロタルトレート、ヒドロオキサレート、ヒドロスクシネート、ヒドロベンゾエート及びヒドロ−ｐ−トルエンスルホネートの中から選択される。ＬＴＤ４−拮抗薬がオプションとして形成できる塩又はその誘導体は、例えば、アルカリ金属、例えばナトリウム塩、カリウム塩、スルホベンゾエート、ホスフェート、イソニコチネート、アセテート、ジクロロアセテート、プロピオネート、ジヒドロゲンホスフェート、パルミテート、ピバレート又はフロエートを意味している。
【００８９】
使用できるＥＧＦＲ−阻害薬は、好ましくは、セツキマブ（cetuximab ）、トラスツズマブ（trastuzumab ）、ＡＢＸ−ＥＧＦ、マブ（Ｍａｂ）ＩＣＲ−６２、及び
・４−［（３−クロロ−４−フルオロフェニル）アミノ］−６−｛［４−（モルフォリン−４−イル）−１−オキソ−２−ブテン−１−イル］アミノ｝−７−シクロプロピルメトキシ−キナゾリン、
・４−［（３−クロロ−４−フルオロフェニル）アミノ］−６−｛［４−（Ｎ，Ｎ−ジエチルアミノ）−１−オキソ−２−ブテン−１−イル］アミノ｝−７−シクロプロピルメトキシ−キナゾリン、
・４−［（３−クロロ−４−フルオロフェニル）アミノ］−６−｛［４−（Ｎ，Ｎ−ジメチルアミノ）−１−オキソ−２−ブテン−１−イル］アミノ｝−７−シクロプロピルメトキシ−キナゾリン、
・４−［（Ｒ）−（１−フェニル−エチル）アミノ］−６−｛［４−（モルフォリン−４−イル）−１−オキソ−２−ブテン−１−イル］アミノ｝−７−シクロペンチルオキシ−キナゾリン、
・４−［（３−クロロ−４−フルオロ−フェニル）アミノ］−６−｛（（Ｒ）−６−メチル−２−オキソ−モルフォリン−４−イル）−１−オキソ−２−ブテン−１−イル］アミノ｝−７−シクロプロピルメトキシ−キナゾリン、
・４−［（３−クロロ−４−フルオロ−フェニル）アミノ］−６−｛［４−（（Ｒ）−６−メチル−２−オキソ−モルフォリン−４−イル）−１−オキソ−２−ブテン−１−イル］アミノ｝−７−［（Ｓ）−（テトラヒドロフラン−３−イル）オキシ］−キナゾリン、
・４−［（３−クロロ−４−フルオロ−フェニル）アミノ］−６−｛［４−（（Ｒ）−２−メトキシメチル−６−オキソ−モルフォリン−４−イル）−１−オキソ−２−ブテン−１−イル］アミノ｝−７−シクロプロピルメトキシ−キナゾリン、
・４−［（３−クロロ−４−フルオロ−フェニル）アミノ］−６−［２−（（Ｓ）−６−メチル−２−オキソ−モルフォリン−４−イル）−エトキシ］−７−メトキシ−キナゾリン、
・４−［（３−クロロ−４−フルオロフェニル）アミノ］−６−（｛４−［Ｎ−（２−メトキシ−エチル）−Ｎ−メチル−アミノ］−１−オキソ−２−ブテン−１−イル］アミノ）−７−シクロプロピルメトキシ−キナゾリン、
・４−［（３−クロロ−４−フルオロフェニル）アミノ］−６−（｛４−［Ｎ，Ｎ−ジメチルアミノ］−１−オキソ−２−ブテン−１−イル｝アミノ）−７−シクロペンチルオキシ−キナゾリン、
・４−［（Ｒ）−（１−フェニル−エチル）アミノ］−６−（｛４−［Ｎ，Ｎ−ビス（−（２−メトキシ−エチル）−アミノ）−１−オキソ−２−ブテン−１−イル］アミノ｝−７−シクロプロピルメトキシ−キナゾリン、
・４−［（Ｒ）−（１−フェニル−エチル）アミノ］−６−（｛４−［Ｎ−（２−メトキシ−エチル）−Ｎ−メチル−アミノ］−１−オキソ−２−ブテン−１−イル｝アミノ）−７−シクロプロピルメトキシ−キナゾリン、
・４−［（Ｒ）−（１−フェニル−エチル）アミノ］−６−（｛４−［Ｎ−（２−メトキシ−エチル）−Ｎ−メチル−アミノ）−１−オキソ−２−ブテン−１−イル｝アミノ）−７−シクロプロピルメトキシ−キナゾリン、
・４−［（Ｒ）−（１−フェニル−エチル）アミノ］−６−（｛４−［Ｎ−（テトラヒドロピラン−４−イル）−Ｎ−メチル−アミノ］−１−オキソ−２−ブテン−１−イル｝アミノ）−７−シクロプロピルメトキシ−キナゾリン、
・４−［（３−クロロ−４−フルオロフェニル）アミノ］−６−（｛４−［Ｎ，Ｎ−ジメチルアミノ］−１−オキソ−２−ブテン−１−イル］アミノ｝−７−（（Ｒ）−テトラヒドロフラン−３−イルオキシ］−キナゾリン、
・４−［（３−クロロ−４−フルオロフェニル）アミノ］−６−（｛４−［Ｎ，Ｎ−ジメチルアミノ］−１−オキソ−２−ブテン−１−イル］アミノ｝−７−（（Ｓ）−テトラヒドロフラン−３−イルオキシ］−キナゾリン、
・４−［（３−クロロ−４−フルオロフェニル）アミノ］−６−（｛４−［Ｎ−（２−メトキシ−エチル）−Ｎ−メチル−アミノ］−１−オキソ−２−ブテン−１−イル｝アミノ）−７−シクロペンチルオキシ−キナゾリン、
・４−［（３−クロロ−４−フルオロフェニル）アミノ］−６−（｛４−（Ｎ−シクロプロピル−Ｎ−メチル−アミノ）−１−オキソ−２−ブテン−１−イル］アミノ｝−７−シクロペンチルロキシ−キナゾリン、
・４−［（３−クロロ−４−フルオロフェニル）アミノ］−６−｛［４−（Ｎ，Ｎ−ジメチルアミノ）−１−オキソ−２−ブテン−１−イル］アミノ｝−７−［（Ｒ）−（テトラヒドロフラン−２−イル）メトキシ］−キナゾリン、
・４−［（３−クロロ−４−フルオロフェニル）アミノ］−６−｛［４−（Ｎ，Ｎ−ジメチルアミノ）−１−オキソ−２−ブテン−１−イル］アミノ｝−７−［（Ｓ）−（テトラヒドロフラン−２−イル）メトキシ］−キナゾリン、
・４−［（３−エチニル−フェニル）アミノ］−６，７−ビス−（２−メトキシ−エトキシ）−キナゾリン、
・４−［（３−クロロ−４−フルオロフェニル）アミノ］−７−モルフォリン−４−イル）−プロピルオキシ］−６−［ビニルカルボニル）アミノ］キナゾリン、
・４−［（Ｒ）−（１−フェニル−エチル）アミノ］−６−（４−ヒドロキシ−フェニル）−７Ｈ−ピロロ［２，３−ｄ］ピリミジン、
・３−シアノ−４−［（３−クロロ−４−フルオロフェニル）アミノ］−６−｛［４−（Ｎ，Ｎ−ジメチルアミノ）−１−オキソ−２−ブテン−１−イル］アミノ｝−７−エトキシ−キノリン、
・４−｛［（３−クロロ−４−（３−フルオロ−ベンジルオキシ）−フェニル］アミノ｝−６−（５−｛［２−メタンスルホニル−エチル）アミノ］メチル｝−フラン−２−イル）キナゾリン、
・４−［（Ｒ）−（１−フェニル−エチル）アミノ］−６−｛［４−（（Ｒ）−６−メチル−２−オキソ−モルフォリン−４−イル）−１−オキソ−２−ブテン−１−イル］アミノ｝−７−メトキシ−キナゾリン、
・４−［（３−クロロ−４−フルオロフェニル）アミノ］−６−｛［４−（モルフォリン−４−イル）−１−オキソ−２−ブテン−１−イル］アミノ｝−７−［（テトラヒドロフラン−２−イル）メトキシ］−キナゾリン、
・４−［（３−クロロ−４−フルオロフェニル）アミノ］−６−（｛４−［Ｎ，Ｎ−ビス−（２−メトキシ−エチル）−アミノ］−１−オキソ−２−ブテン−１−イル｝アミノ）−７−［テトラヒドロフラン−２−イル）メトキシ］−キナゾリン、
・４−［（３−エチニル−フェニル）アミノ］−６−｛［４−（５，５−ジメチル−２−オキソ−モルフォリン−４−イル）−１−オキソ−２−ブテン−１−イル］アミノ｝−キナゾリン、
・４−［（３−クロロ−４−フルオロ−フェニル）アミノ］−６−［２−（２，２−ジメチル−６−オキソ−モルフォリン−４−イル）エトキシ］−７−メトキシ−キナゾリン、
・４−［（３−クロロ−４−フルオロ−フェニル）アミノ］−６−［２−（２，２−ジメチル−６−オキソ−モルフォリン−４−イル）エトキシ］−７−［（Ｒ）−（テトラヒドロフラン−２−イル）メトキシ］−キナゾリン、
・４−［（３−クロロ−４−フルオロ−フェニル）アミノ］−７−［２−（２，２−ジメチル−６−オキソ−モルフォリン−４−イル）エトキシ］−６−［（Ｓ）−（テトラヒドロフラン−２−イル）メトキシ］−キナゾリン、
・４−［（３−クロロ−４−フルオロ−フェニル）アミノ］−６−｛２−［４−（２−オキソ−モルフォリン−４−イル）−ピペリジン−１−イル］−エトキシ｝−７−メトキシ−キナゾリン、
・４−［（３−クロロ−４−フルオロ−フェニル）アミノ］−６−［１−（ｔ−ブチルオキシカルボニル）−ピペリジン−４−イルオキシ］−７−メトキシ−キナゾリン、
・４−［（３−クロロ−４−フルオロ−フェニル）アミノ］−６−（トランス−４−アミノ−シクロヘキサン−１−イルオキシ）−７−メトキシ−キナゾリン、
・４−［（３−クロロ−４−フルオロ−フェニル）アミノ］−６−（トランス−４−メタンスルホニルアミノ−シクロヘキサン−１−イルオキシ）−７−メトキシ−キナゾリン、
・４−［（３−クロロ−４−フルオロ−フェニル）アミノ］−６−（テトラヒドロピラン−３−イルオキシ）−７−メトキシ−キナゾリン、
・４−［（３−クロロ−４−フルオロ−フェニル）アミノ］−６−（１−メチル−ピペリジン−４−イルオキシ］−７−メトキシ−キナゾリン、
・４−［（３−クロロ−４−フルオロ−フェニル）アミノ］−６−｛１−［（モルフォリン−４−イル）カルボニル］−ピペリジン−４−イルオキシ｝−７−メトキシ−キナゾリン、
・４−［（３−クロロ−４−フルオロ−フェニル）アミノ］−６−｛１−［（メトキシメチル）カルボニル］−ピペリジン−４−イルオキシ｝−７−メトキシ−キナゾリン、
・４−［（３−クロロ−４−フルオロ−フェニル）アミノ］−６−（ピペリジン−３−イルオキシ）−７−メトキシ−キナゾリン、
・４−［（３−クロロ−４−フルオロ−フェニル）アミノ］−６−［１−（２−アセチルアミノ−エチル）−ピペリジン−４−イルオキシ］−７−メトキシ−キナゾリン、
・４−［（３−クロロ−４−フルオロ−フェニル）アミノ］−６−（テトラヒドロピラン−４−イルオキシ）−７−エトキシ−キナゾリン、
・４−［（３−クロロ−４−フルオロ−フェニル）アミノ］−６−（（Ｓ）−テトラヒドロピラン−３−イルオキシ）−７−ヒドロキシ−キナゾリン、
・４−［（３−クロロ−４−フルオロ−フェニル）アミノ］−６−（テトラヒドロピラン−４−イルオキシ）−７−（２−メトキシ−エトキシ）−キナゾリン、
・４−［（３−クロロ−４−フルオロ−フェニル）アミノ］−６−｛トランス−４［（ジメチルアミノ）スルホニルアミノ］−シクロヘキサン−１−イルオキシ｝−７−メトキシ−キナゾリン、
・４−［（３−クロロ−４−フルオロ−フェニル）アミノ］−６−｛トランス−４−［（モルフォリン−４−イル）カルボニルアミノ］−シクロヘキサン−１−イルオキシ｝−７−メトキシ−キナゾリン、
・４−［（３−クロロ−４−フルオロ−フェニル）アミノ］−６−｛トランス−４−［（モルフォリン−４−イル）スルホニルアミノ］−シクロヘキサン−１−イルオキシ｝−７−メトキシ−キナゾリン、
・４−［（３−クロロ−４−フルオロ−フェニル）アミノ］−６−（テトラヒドロピラン−４−イルオキシ）−７−（２−アセチルアミノ−エトキシ）−キナゾリン、
・４−［（３−クロロ−４−フルオロ−フェニル）アミノ］−６−（テトラヒドロフラン−４−イルオキシ）−７−（２−メタンスルホニルアミノ−エトキシ）−キナゾリン、
・４−［（３−クロロ−４−フルオロ−フェニル）アミノ］−６−｛１−［（ピペリジン−１−イル）カルボニル］−ピペリジン−４−イルオキシ｝−７−メトキシ−キナゾリン、
・４−［（３−クロロ−４−フルオロ−フェニル）アミノ］−６−（１−アミノカルボニルメチル−ピペリジン−４−イルオキシ）−７−メトキシ−キナゾリン、
・４−［（３−クロロ−４−フルオロ−フェニル）アミノ］−６−（シス−４−｛Ｎ［（テトラヒドロピラン−４−イル）カルボニル］−Ｎ−メチル−アミノ｝−シクロヘキサン−１−イルオキシ）−７−メトキシ−キナゾリン、
・４−［（３−クロロ−４−フルオロ−フェニル）アミノ］−６−（シス−４−｛Ｎ−［（モルフォリン−４−イル）カルボニル］−Ｎ−メチル−アミノ｝−シクロヘキサン−１−イルオキシ）−７−メトキシ−キナゾリン、
・４−［（３−クロロ−４−フルオロ−フェニル）アミノ］−６−（シス−４−｛Ｎ−［（モルフォリン−４−イル）スルホニル］−Ｎ−メチル−アミノ｝−シクロヘキサン−１−イルオキシ）−７−メトキシ−キナゾリン、
・４−［（３−クロロ−４−フルオロ−フェニル）アミノ］−６−（トランス−４−エタンスルホニルアミノ−シクロヘキサン−１−イルオキシ）−７−メトキシ−キナゾリン、
・４−［（３−クロロ−４−フルオロ−フェニル）アミノ］−６−（１−メタンスルホニル−ピペリジン−４−イルオキシ｝−７−エトキシ−キナゾリン、
・４−［（３−クロロ−４−フルオロ−フェニル）アミノ］−６−（１−メタンスルホニル−ピペリジン−４−イルオキシ）−７−（２−メトキシ−エトキシ）−キナゾリン、
・４−［（３−クロロ−４−フルオロ−フェニル）アミノ］−６−［１−（２−メトキシ−アセチル）−ピペリジン−４−イルオキシ］−７−（２−メトキシ−エトキシ）−キナゾリン、
・４−［（３−クロロ−４−フルオロ−フェニル）アミノ］−６−（シス−４−アセチルアミノ−シクロヘキサン−１−イルオキシ］−７−メトキシ−キナゾリン、
・４−［（３−エチニル−４−フェニル）アミノ］−６−［１−（ｔ−ブチルオキシカルボニル）−ピペリジン−４−イルオキシ］−７−メトキシ−キナゾリン、
・４−［（３−エチニル−フェニル）アミノ］−６−（テトラヒドロピラン−４−イルオキシ］−７−メトキシ−キナゾリン、
・４−［（３−クロロ−４−フルオロ−フェニル）アミノ］−６−（シス−４−｛Ｎ−［（ピペリジン−１−イル）カルボニル］−Ｎ−メチル−アミノ｝−シクロヘキサン−１−イルオキシ）−７−メトキシ−キナゾリン、
・４−［（３−クロロ−４−フルオロ−フェニル）アミノ］−６−（シス−４−｛Ｎ−［（４−メチル−ピペリジン−１−イル）カルボニル］−Ｎ−メチル−アミノ｝−シクロヘキサン−１−イルオキシ）−７−メトキシ−キナゾリン、
・４−［（３−クロロ−４−フルオロ−フェニル）アミノ］−６−｛シス−４−［（モルフォリン−４−イル）カルボニルアミノ］−シクロヘキサン−１−イルオキシ｝−７−メトキシ−キナゾリン、
・４−［（３−クロロ−４−フルオロ−フェニル）アミノ］−６−｛１−［２−（２−オキソピロリジン−１−イル）エチル］−ピペリジン−４−イルオキシ｝−７−メトキシ−キナゾリン、
・４−［（３−クロロ−４−フルオロ−フェニル）アミノ］−６−｛１−［（モルフォリン−４−イル）カルボニル］−ピペリジン−４−イルオキシ｝−７−（２−メトキシ−エトキシ）−キナゾリン、
・４−［（３−エチニル−フェニル）アミノ］−６−（１−アセチル−ピペリジン−４−イルオキシ）−７−メトキシ−キナゾリン、
・４−［（３−エチニル−フェニル）アミノ］−６−（１−メチル−ピペリジン−４−イルオキシ）−７−メトキシ−キナゾリン、
・４−［（３−エチニル−フェニル）アミノ］−６−（１−メタンスルホニル−ピペリジン−４−イルオキシ）−７−メトキシ−キナゾリン、
・４−［（３−クロロ−４−フルオロ−フェニル）アミノ］−６−（１−メチル−ピペリジン−４−イルオキシ）−７（２−メトキシ−エトキシ）−キナゾリン、
・４−［（３−クロロ−４−フルオロ−フェニル）アミノ］−６−（１−イソプロピルオキシカルボニル−ピペリジン−４−イルオキシ）−７−メトキシ−キナゾリン、
・４−［（３−クロロ−４−フルオロ−フェニル）アミノ］−６−（シス−４−メチルアミノ−シクロヘキサン−１−イルオキシ）−７−メトキシ−キナゾリン、
・４−［（３−クロロ−４−フルオロ−フェニル）アミノ］−６−（シス−４−［Ｎ−（２−メトキシ−アセチル）−Ｎ−メチル−アミノ］−シクロヘキサン−１−イルオキシ｝−７−メトキシ−キナゾリン、
・４−［（３−エチニル−フェニル）アミノ］−６−（ピペリジン−４−イルオキシ）−７−メトキシ−キナゾリン、
・４−［（３−エチニル−フェニル）アミノ］−６−［１−（２−メトキシ−アセチル）−ピペリジン−４−イルオキシ）−７−メトキシ−キナゾリン、
・４−［（３−エチニル−フェニル）アミノ］−６−｛１−［（モルフォリン−４−イル）カルボニル］−ピペリジン−４−イルオキシ｝−７−メトキシ−キナゾリン、
・４−［（３−クロロ−４−フルオロ−フェニル）アミノ］−６−｛１−［（シス−２，６−ジメチル−モルフォリン−４−イル）カルボニル］−ピペリジン−４−イルオキシ｝−７−メトキシ−キナゾリン、
・４−［（３−クロロ−４−フルオロ−フェニル）アミノ］−６−｛１−［（２−メチル−モルフォリン−４−イル）カルボニル］−ピペリジン−４−イルオキシ｝−７−メトキシ−キナゾリン、
・４−［（３−クロロ−４−フルオロ−フェニル）アミノ］−６−｛１−［（Ｓ，Ｓ）−（２−オキサ−５−アザ−ビシクロ［２．２．１］ヘプト−５−イル）カルボニル］−ピペリジン−４−イルオキシ｝−７−メトキシ−キナゾリン、
・４−［（３−クロロ−４−フルオロ−フェニル）アミノ］−６−｛１−［Ｎ−メチル−Ｎ−２−メトキシエチル−アミノ］カルボニル］−ピペリジン−４−イルオキシ｝−７−メトキシ−キナゾリン、
・４−［（３−クロロ−４−フルオロ−フェニル）アミノ］−６−（１−エチル−ピペリジン−４−イルオキシ）−７−メトキシ−キナゾリン、
・４−［（３−クロロ−４−フルオロ−フェニル）アミノ］−６−｛１−［（２−メトキシエチル）カルボニル］−ピペリジン−４−イルオキシ｝−７−メトキシ−キナゾリン、
・４−［（３−クロロ−４−フルオロ−フェニル）アミノ］−６−｛１−［（３−メトキシプロピル−アミノ）−カルボニル］−ピペリジン−４−イルオキシ｝−７−メトキシ−キナゾリン、
・４−［（３−クロロ−４−フルオロ−フェニル）アミノ］−６−［シス−４−（Ｎ−メタンスルホニル−Ｎ−メチル−アミノ）−シクロヘキサン−１−イルオキシ］−７−メトキシ−キナゾリン、
・４−［（３−クロロ−４−フルオロ−フェニル）アミノ］−６−［シス−４−（Ｎ−アセチル−Ｎ−メチル−アミノ）−シクロヘキサン−１−イルオキシ］−７−メトキシ−キナゾリン、
・４−［（３−クロロ−４−フルオロ−フェニル）アミノ］−６−（トランス−４−メチルアミノ−シクロヘキサン−１−イルオキシ）−７−メトキシ−キナゾリン、
・４−［（３−クロロ−４−フルオロ−フェニル）アミノ］−６−［トランス−４−（Ｎ−メタンスルホニル−Ｎ−メチル−アミノ）−シクロヘキサン−１−イルオキシ］−７−メトキシ−キナゾリン、
・４−［（３−クロロ−４−フルオロ−フェニル）アミノ］−６−（トランス−４−ジメチルアミノ−シクロヘキサン−１−イルオキシ）−７−メトキシ−キナゾリン、
・４−［（３−クロロ−４−フルオロ−フェニル）アミノ］−６−（トランス−４−｛Ｎ−［（モルフォリン−４−イル）カルボニル］−Ｎ−メチル−アミノ｝−シクロヘキサン−１−イルオキシ）−７−メトキシ−キナゾリン、
・４−［（３−クロロ−４−フルオロ−フェニル）アミノ］−６−［２−（２，２−ジメチル−６−オキソ−モルフォリン−４−イル）−エトキシ］−７−［（Ｓ）−（テトラヒドロフラン−２−イル）メトキシ］−キナゾリン、
・４−［（３−クロロ−４−フルオロ−フェニル）アミノ］−６−（１−メタンスルホニル−ピペリジン−４−イルオキシ）−７−メトキシ−キナゾリン、
・４−［（３−クロロ−４−フルオロ−フェニル）アミノ］−６−（１−シアノ−ピペリジン−４−イルオキシ）−７−メトキシ−キナゾリンの中から選択された化合物であり、
オプションとして上記化合物のラセミ化合物、エナンチオマー又はジアステレオマー及びオプションとして上記化合物の薬理学的に容認できる酸添加塩、溶媒化合物又は水和物である。本発明によれば、これらの酸添加塩は、好ましくは、ヒドロクロリド（塩酸塩）、ヒドロブロミド（臭化水素酸塩）、ヒドロイオジド（沃化水素酸）、ヒドロスルフェート（重硫酸塩）、ヒドロホスフェート、ヒドロメタンスルホネート、ヒドロニトレート、ヒドロマレエート、ヒドロアセテート、ヒドロシトレート、ヒドロフマレート、ヒドロタルトレート、ヒドロオキサレート、ヒドロスクシネート、ヒドロベンゾエート及びヒドロ−ｐ−トルエンスルホネートの中から選択される。
【００９０】
用いられるドーパミン作用薬は、好ましくは、ブロモクリプチン（bromocriptine）、カベルゴリン（cabergoline）、アルファ−ジヒドロエルゴクリプチン（alpha-dihydroergocryptine）、リスリド（lisuride）、ペルゴリド（pergolide）、プラミペクソール（pramipexole）、ロキシンドール（roxindole）、ロピニロール（ropinirole）、タリペクソール（talipexole）、テルグリド（terguride）、ビオザン（viozane）の中から選択された化合物であり、オプションとして上記化合物のラセミ化合物、エナンチオマー、ジアステレオマー及びオプションとして上記化合物の薬理学的に容認できる酸添加塩、溶媒化合物又は水和物である。本発明によれば、これらの酸添加塩は、好ましくは、ヒドロクロリド（塩酸塩）、ヒドロブロミド（臭化水素酸塩）、ヒドロイオジド（沃化水素酸）、ヒドロスルフェート（重硫酸塩）、ヒドロホスフェート、ヒドロメタンスルホネート、ヒドロニトレート、ヒドロマレエート、ヒドロアセテート、ヒドロシトレート、ヒドロフマレート、ヒドロタルトレート、ヒドロオキサレート、ヒドロスクシネート、ヒドロベンゾエート及びヒドロ−ｐ−トルエンスルホネートの中から選択される。
【００９１】
使用できる抗ヒスタミン薬は、好ましくは、エピナスチン（epinastine）、セチリジン（cetirizine）、アゼラスチン（azelastine）、フェクソフェンダジン（fexofenadine）、レボカバスチン（levocabastine）、ロラタジン（loratadine）、ミゾラスチン（mizolastine）、ケトチフェン（ketotifene）、エメダスチン（emedastine）、ジメチンデン（dimetindene）、クレマスチン（clemastine）、バミピン（bamipine）、セクスクロルフェニラミン（cexchlorpheniramine）、フェニラミン（pheniramine）、ドキシルアミン（doxylamine）、クロロフェノキサミン（chlorophenoxamine ）、ジメンヒドリネート（dimenhydrinate）、ジフェンヒドラミン（diphenhydramine）、プロメタジン（promethazine）、エバスチン（ebastine）、デスロラチジン（desloratidine）、メクロジン（meclozine）の中から選択された化合物であり、オプションとして上記化合物のラセミ化合物、エナンチオマー、ジアステレオマー及びオプションとして上記化合物の薬理学的に容認できる酸添加塩、溶媒化合物又は水和物である。本発明によれば、これらの酸添加塩は、好ましくは、ヒドロクロリド（塩酸塩）、ヒドロブロミド（臭化水素酸塩）、ヒドロイオジド（沃化水素酸）、ヒドロスルフェート（重硫酸塩）、ヒドロホスフェート、ヒドロメタンスルホネート、ヒドロニトレート、ヒドロマレエート、ヒドロアセテート、ヒドロシトレート、ヒドロフマレート、ヒドロタルトレート、ヒドロオキサレート、ヒドロスクシネート、ヒドロベンゾエート及びヒドロ−ｐ−トルエンスルホネートの中から選択される。
【００９２】
また、欧州特許出願公開第１，００３，４７８（Ａ１）号明細書及びカナダ国特許出願公開第２２９７１７４（Ａ１）号明細書に開示されている吸入可能な高分子を使用することが可能である。
【００９３】
さらに、化合物は、バッカクアルカロイド誘導体、トリプタン、ＣＧＲＰ−拮抗薬、ホスホジエストラーゼ−Ｖ阻害薬から成る群に由来するものであるのが良く、オプションとしてこれら化合物のラセミ化合物、エナンチオマー又はジアステレオマー及びオプションとして上記化合物の薬理学的に容認できる酸添加塩、溶媒化合物及び（又は）水和物である。
【００９４】
バッカクアルカロイド誘導体の例は、ジヒドロエルゴタミン及びエルゴタミンである。
【図面の簡単な説明】
【００９５】
【図１】開放状態にある第１の実施形態としての吸入器の略図である。
【図２】吸入器の案内部分の斜視図である。
【図３】マウスピースの付近の吸入器の一部の断面図である。
【図４】吸入器の輪郭図である。
【図５】開放位置にある第２の実施形態としての吸入器の概略断面図である。
【図１】
0005455039.tif 000006
【図２】
0005455039.tif 000007
【図３】
0005455039.tif 000008
【図４】
0005455039.tif 000009
【図５】
0005455039.tif 000010